(57)【特許請求の範囲】
【請求項１】
２枚のガラス板を縁部に設けられる封止部を介し対向配置して２枚のガラス板間に空間部を形成し、該空間部内にブラインドを設けたブラインド内蔵型複層ガラスにおいて、
前記ブラインドは、縦方向に複数配置されるスラットを、該スラットの幅方向に対向する一組の縦紐を有したラダーコードで支持し、該ラダーコードは前記スラットの長手方向に伸びる回転軸の回転に連動して前記スラットの角度を可変とし、
前記ガラス板間の空間部には内部に収納部を有した操作連動体が設けられ、該操作連動体は、前記回転軸を前記収納部内に挿通させる軸挿通部と、前記ガラス板間の空間部の外側に露出する外部連結部とを有し、
前記回転軸は前記軸挿通部及び外部連結部を介して前記空間部の外部と連係され、
前記収納部は、前記軸挿通部を有し前記空間部側と外部側とを隔てる密閉壁部を有し、
前記収納部には、前記回転軸の全周に渡り前記空間部側と外部側とを気密するシール部品が設けられ、該シール部品は、前記密閉壁部と前記回転軸との間を気密する密閉部と、該密閉部と連続し前記密閉壁部より外部側で前記回転軸の周面を覆う軸被覆部とを有することを特徴とするブラインド内蔵複層ガラス。
【請求項２】
前記２枚のガラス板を前記封止部を介し対向配置してなり前記操作連動体を有するガラス体と、前記操作連動体から引き出される回転軸と連係する操作機構を有する操作体とからなり、該操作体の外周縁部は前記ガラス体と略同厚であることを特徴とする請求項１記載のブラインド内蔵型複層ガラス。
【請求項３】
前記操作連動体の外部連結部は、前記ガラス板の外周面と直交する方向を向いた受け面部を有することを特徴とする請求項１または２記載のブラインド内蔵型複層ガラス。
【発明の詳細な説明】
【技術分野】
【０００１】
本発明は、縦方向複数のスラットをラダーコードで角度可変に支持したブラインドを複層ガラス内に納めてなるブラインド内蔵型複層ガラスに関し、特にスラットを開閉操作する操作機構を複層ガラスと一体的に設けたブランド内蔵型複層ガラスに関する。
【背景技術】
【０００２】
ブラインドは、縦方向複数のスラットを、該スラットの幅方向に対向する一組の縦紐を有したラダーコードで角度可変に支持し、ラダーコードは上端部が回転軸と連動する回転部品に支持されて構成される。外部からの操作によって回転部品が回転するのに伴い、一組の縦紐が上下逆方向に変位され、ラダーコードに支持されたスラットがそれぞれ一方向に傾斜し、開閉を行うことができる。
【０００３】
ブラインドは、窓サッシの室内側に設けられることが多いが、窓サッシを構成する複層ガラス内に形成される空間部に納められて、室内側からの操作によってスラットを開閉させるものも知られている。かかるブラインド内蔵型複層ガラスとしては、例えば特許文献１に挙げるようなものがある。
【先行技術文献】
【特許文献】
【０００４】
【特許文献１】特開２０１０−２２２９２４号公報
【発明の概要】
【発明が解決しようとする課題】
【０００５】
複層ガラスは、断熱性確保や結露防止のため、ガラス板間の空間部を気密する必要がある。これは、ブラインド内蔵型複層ガラスでも同様である。ブラインド内蔵型複層ガラスでは、スラットを開閉させるため、外部からの操作により回転軸を回転させることが必要となるが、従来は回転軸をガラス板間の空間部から引き出すことなく、ガラス板越しに磁石を用いて回転させるようにしていた。
【０００６】
しかし、磁石は磁場を発生させるものであり、病院など磁場の発生が好ましくない場所には設置することができない。また、磁石を用いると、コストが高くなるという問題もあった。
【０００７】
本発明は前記課題を鑑みてなされたものであり、複層ガラス内のスラットを開閉操作するのに磁石を不要とし、かつ複層ガラス間の気密性も確保することのできるブラインド内蔵型複層ガラスを提供することを目的とする。
【課題を解決するための手段】
【０００８】
前記課題を解決するため、本発明に係るブラインド内蔵型複層ガラスは、２枚のガラス板を縁部に設けられる封止部を介し対向配置して２枚のガラス板間に空間部を形成し、該空間部内にブラインドを設けたブラインド内蔵型複層ガラスにおいて、
前記ブラインドは、縦方向に複数配置されるスラットを、該スラットの幅方向に対向する一組の縦紐を有したラダーコードで支持し、該ラダーコードは前記スラットの長手方向に伸びる回転軸の回転に連動して前記スラットの角度を可変とし、
前記ガラス板間の空間部には内部に収納部を有した操作連動体が設けられ、該操作連動体は、前記回転軸を前記収納部内に挿通させる軸挿通部と、前記ガラス板間の空間部の外側に露出する外部連結部とを有し、
前記回転軸は前記軸挿通部及び外部連結部を介して前記空間部の外部と連係され、
前記収納部は、前記軸挿通部を有し前記空間部側と外部側とを隔てる密閉壁部を有し、
前記収納部には、前記回転軸の全周に渡り前記空間部側と外部側とを気密するシール部品が設けられ、該シール部品は、前記密閉壁部と前記回転軸との間を気密する密閉部と、該密閉部と連続し前記密閉壁部より外部側で前記回転軸の周面を覆う軸被覆部とを有することを特徴として構成されている。
【００１１】
さらにまた、本発明に係るブラインド内蔵型複層ガラスは、前記２枚のガラス板を前記封止部を介し対向配置してなり前記操作連動体を有するガラス体と、前記操作連動体から引き出される回転軸と連係する操作機構を有する操作体とからなり、該操作体の外周縁部は前記ガラス体と略同厚であることを特徴として構成されている。
【００１２】
そして、本発明に係るブラインド内蔵型複層ガラスは、前記操作連動体の外部連結部は、前記ガラス板の外周面と直交する方向を向いた受け面部を有することを特徴として構成されている。
【発明の効果】
【００１３】
本発明に係るブラインド内蔵型複層ガラスによれば、ガラス板間の空間部には内部に収納部を有した操作連動体が設けられ、操作連動体は、回転軸を収納部内に挿通させる軸挿通部と、ガラス板間の空間部の外側に露出する外部連結部とを有し、回転軸は軸挿通部及び外部連結部を介して空間部の外部と連係されることにより、外部連結部に操作機構を接続することで、回転軸を操作機構で直接駆動することができ、スラットの開閉のために磁石を不要とすることができる。
【００１４】
また、本発明に係るブラインド内蔵型複層ガラスによれば、収納部には、回転軸の全周に渡り外部連結部側とガラス板間の空間部側とを気密するシール部品が設けられることにより、回転軸を操作機構で直接駆動する機構において、ガラス板間の空間部の密閉性も確保することができる。
【００１５】
さらに、本発明に係るブラインド内蔵型複層ガラスによれば、シール部品は収納部内に挿通された回転軸の全周を覆う軸被覆部と、密閉壁部の開口部を密閉する密閉部とが一体的に形成されてなることにより、ガラス板間の空間部側を外気側に対し確実に密閉することができる。
【００１６】
さらにまた、本発明に係るブラインド内蔵型複層ガラスによれば、２枚のガラス板を封止部を介し対向配置してなり操作連動体を有するガラス体と、操作連動体から引き出される回転軸と連係する操作機構を有する操作体とからなり、操作体の外周縁部はガラス体と略同厚であることにより、通常のガラス体と同様の構造で框体内に納めることができる。
【００１７】
そして、本発明に係るブラインド内蔵型複層ガラスによれば、操作連動体の外部連結部は、ガラス板の外周面と直交する方向を向いた受け面部を有することにより、ガラス体の外周面に塗布されるシール材の端部を受けることができ、シール材の塗布を容易にすると共に、ガラス体の全周に渡る気密性向上を図ることができる。
【図面の簡単な説明】
【００１８】
【図１】ブラインド内蔵型複層ガラスの斜視図である。
【図２】ブラインド内蔵型複層ガラスを保持した障子の縦断面図である。
【図３】ブラインド内蔵型複層ガラスを保持した障子の横断面図である。
【図４】ブラインドの上辺一側部付近拡大斜視図である。
【図５】ブラインド内蔵複層ガラスの上辺と縦辺とでなすコーナー部付近拡大正面図である。
【図６】操作連動体の断面図である。
【図７】操作連動体付近のガラス体の斜視図である。
【発明を実施するための形態】
【００１９】
本発明の実施形態について図面に沿って詳細に説明する。本実施形態では、２枚のガラス板１０，１０間に空間部１２を形成し、該空間部１２内にブラインド４を納めてなるブラインド内蔵型複層ガラス１について説明する。このブラインド内蔵型複層ガラス１は、サッシを構成する障子に納められるものである。図１には、ブラインド内蔵型複層ガラス１の斜視図を示している。
【００２０】
図１に示すように、ブラインド内蔵型複層ガラス１は、ガラス板１０を有し内部にブラインド４を納めたガラス体２と、ブラインド４の開閉操作を行うための開閉機構を内部に備えた操作体３とが、横方向に連結して構成されている。操作体３には、上下方向にスライド操作自在な操作部４４が設けられており、操作部４４をスライド操作することにより、操作体３内の操作機構が動作し、操作機構と連動してブラインド４が開閉する。ブラインド４は、縦方向複数のスラット２０が２つのラダーコード２１で角度可変に支持されている。
【００２１】
図２にはブラインド内蔵型複層ガラス１を保持した障子の縦断面図を、図３にはブラインド内蔵型複層ガラス１を保持した障子の横断面図を、それぞれ示している。障子は、上框５０と下框５１及び左右の縦框５２，５２を方形状に框組みしてなる框体５内に、ブラインド内蔵型複層ガラス１を保持して構成されている。
【００２２】
上框５０は、室外側の金属上框５０ａと室内側の樹脂上框５０ｂにより構成されており、内周面にはブラインド内蔵型複層ガラス１の外周縁部を保持するガラス収納溝５０ｃが形成される。下框５１は、室外側の金属下框５１ａと室内側の樹脂下框５１ｂにより構成されており、内周面にはブラインド内蔵型複層ガラス１の外周縁部を保持するガラス収納溝５１ｃが形成される。また、縦框５２は、室外側の金属縦框５２ａと室内側の樹脂縦框５２ｂにより構成されており、内周面にはブラインド内蔵型複層ガラス１の外周縁部を保持するガラス収納溝５２ｃが形成される。
【００２３】
ブラインド内蔵型複層ガラス１は、ガラス収納溝５０ｃ，５１ｃ，５２ｃに納められるガラス押さえ部品５３を介して外周縁部が挟持固定されている。ガラス押さえ部品５３は、ゴム材料により断面略コ字状に形成され、室内外面がそれぞれブラインド内蔵型複層ガラス１の室内外面に圧接し、挟持固定している。
【００２４】
ブラインド内蔵型複層ガラス１を構成するガラス体２は、２枚のガラス板１０，１０を室内外に対向配置し、封止部１１によって両者を一体化すると共に、ガラス板１０，１０間に空間部１２を形成している。
【００２５】
空間部１２の上辺には、断面略コ字状の上端部品２５が長手方向に沿って設けられており、下辺には断面コ字状の下端部品２６が長手方向に沿って設けられている。また、空間部１２の左右縦辺には、それぞれ断面コ字状の縦端部部品２７，２７が長手方向に沿って設けられている。これらは、ガラス体２の強度向上を図ると共に、ブラインド４の四周周縁部を室内外から覆うことで、意匠性の向上を図るために設けられている。
【００２６】
図２は、スラット２０が全開の状態を表している。複数のスラット２０は、いずれも同形状で同幅に形成されており、全開の際には水平に配置されている。ラダーコード２１は、スラット２０の幅方向に対向する一組の縦紐２１ａ，２１ｂと、一組の縦紐２１ａ，２１ｂ間に渡される横紐２１ｃとを有し、横紐２１ｃ上にスラット２０が載置され支持されている。
【００２７】
ラダーコード２１の上端部は、スラット２０の長手方向に延びる回転軸２２と共に回転する回転部品２３に固定されている。回転軸２２及び回転部品２３は、上端部品２５内に収納されていて、ガラス体２の外方からは見えないように配置されている。
【００２８】
回転部品２３は、一方向に長い扁平状に形成されており、それぞれ断面弧状をなす上面部２３ａと下面部２３ｂを有し、これらの両端部には、それぞれ一組の縦紐２１ａ，２１ｂが固定されてこれらを支持する支持端部２３ｃ，２３ｄが設けられている。回転部品２３は、両支持端部２３ｃ，２３ｄが離隔する一方向の幅がスラット２０の幅と略同幅であり、該一方向と直交する方向の幅がスラット２０の幅よりも小さくなるように形成されている。
【００２９】
図２に示されているように、ラダーコード２１の下端部には、長手方向に沿ってボトムレール２４が設けられている。ボトムレール２４は、スラット２０の幅と略同幅に形成されており、下面側に一組の縦紐２１ａ，２１ｂがそれぞれ固定される。ボトムレール２４が設けられていることにより、ラダーコード２１の下部に重量を付加し、上端部で支持された一組の縦紐２１ａ，２１ｂにテンションを与えることにより、一組の縦紐２１ａ，２１ｂを安定的に上下逆方向に変位させ、下端部のスラット２０まで安定的に開閉させることができる。
【００３０】
図３に示すように、操作体３の縦框５２に保持される外周縁部は、ガラス体２と略同厚となるように形成されている。これにより、ガラス体２と操作体３とを一体化してなるブラインド内蔵複層ガラス１を、通常のガラス体と同様に、框体５内に納めることができる。
【００３１】
図４には、ブラインド４の上辺一側部付近拡大斜視図を示している。この図に示すように、回転軸２２の一端部には、ガラス体２の外部における操作に伴い発生する回転動作を回転軸２２に伝達する操作連動体３０が設けられている。操作連動体３０は、２枚のガラス板１０，１０間の空間部１２内に配置され、一部がガラス体２の外部に露出する。
【００３２】
回転部品２３は、ラダーコード２１の上端部に配置されるピース状の部品として構成されており、回転軸２２が挿入されてこれと一体化する軸挿入部２３ｅがスラット２０の長手方向に沿って形成されている。また、前述のように、回転部品２３の両端部には、一組の縦紐２１ａ、２１ｂを支持する支持端部２３ｃ，２３ｄが設けられており、回転部品２３でラダーコード２１を吊り下げた状態としている。
【００３３】
図５には、ブラインド内蔵複層ガラス１の上辺と縦辺とでなすコーナー部付近拡大正面図を示している。この図には、ブラインド内蔵複層ガラス１の内部構造も示している。ブラインド４の回転軸２２は、長手方向中間部に前述の回転部品２３が取付けられており、長手方向端部は操作連動体３０に納められている。
【００３４】
操作連動体３０は、２枚のガラス板１０，１０間の空間部１２内に配置される収納部３１と、空間部１２の外部に露出する外部連結部３４とを有している。回転軸２２は、操作連動体３０の内部で、回転軸２２と共に回転する連動回転部３３に連結されている。連動回転部３３は、回転軸２２の一端部側を構成しており、外部連結部３４において操作機構４０と連係されている。
【００３５】
操作機構４０は、ブラインド４の開閉操作を行う操作部４４を備えている。操作部４４は、上下にスライド操作自在となっており、これと連動して線状の連係具４５が上下方向に移動する。連係具４５の上端部は、上下方向の直線運動を、水平方向を軸とした回転運動に変換する回転変換部４６に連結されている。回転変換部４６は、回転軸２２と同軸のウォームギアと、該ウォームギアと噛み合うウォームホイールによって構成することができ、操作部４４の上下動によりウォームホイールが回転するように、連係具４５がウォームホイールに取付けられる。回転変換部４６により、操作部４４における上下方向の直線運動を、回転軸２２の回転方向の運動に変換することができ、これにより回転軸２２が回転することで、前述のようにスラット２０を開閉させることができる。
【００３６】
操作連動体３０の構成につき、より詳細に説明する。図６には、操作連動体３０の断面図を示している。前述のように、操作連動体３０は、２枚のガラス板１０，１０間の空間部１２内に配置される収納部３１と、空間部１２から外部に露出する外部連結部３４とを有している。収納部３１は、回転軸２２を納めることができるように、中空状となっている。
【００３７】
収納部３１内は、密閉壁部３９によって、２枚のガラス板１０，１０間の空間部１２と連通する軸挿通部３２と、外気と連通する領域との２つの空間に隔てられている。密閉壁部３９内の軸挿通部３２には、２枚のガラス板１０，１０間の空間部１２側に開口した空間部側開口部３２ａと、外気と連通する側に開口した外気側開口部３２ｂとが形成されている。空間部側開口部３２ａには、回転軸２２の端部が挿通されている。
【００３８】
回転軸２２を構成する連動回転部３３は、密閉壁部３９の外気側開口部３２ｂから外気と連通する領域側に引き出されており、さらに外部連結部３４まで伸びている。外部連結部３４において、連動回転部３３は操作機構４０の回転変換部４６と連係される。
【００３９】
２枚のガラス板１０，１０間の空間部１２は、断熱性向上及び結露防止のために、外気から密閉されている。空間部１２の周囲部分は、封止部１１によって密閉されているが、中空状の操作連動体３０内においては、２枚のガラス板１０，１０間の空間部１２と連通する領域を、外気と連通する領域から密閉する必要がある。そのために、外気側開口部３２ｂと回転軸２２を構成する連動回転部３３の周面との間の隙間を、シール部品３５によって密閉している。
【００４０】
シール部品３５は、軟質のゴム材料により、周方向に同形状を有する略チューブ状に形成されている。シール部品３５の一方側の端部には、密閉壁部３９に対して固定される取付部３５ｃが形成され、取付部３５ｃから他方側の端部に向かって、次第に径が小さくなる外径部３５ｄが形成され、その内径側には、回転軸２２を構成する連動回転部３３の周面を全周に渡って覆い、圧着される軸被覆部３５ａが形成されている。軸被覆部３５ａの一方側の端部は、密閉壁部３９の外気側開口部３２ｂと連動回転部３３の周面との間の隙間を全周に渡って塞ぐ密閉部３５ｂとなっている。
【００４１】
シール部品３５の密閉部３５ｂにより、外気側開口部３２ｂは、回転軸２２を構成する連動回転部３３の周面との隙間が塞がれ、さらにそこから連動回転部３３の周面が長手方向に沿って軸被覆部３５ａによって連続的に覆われているので、２枚のガラス板１０，１０間の空間部１２と連通する軸挿通部３２の領域と、外気と連通する領域とが密閉される。シール部品３５は、取付部３５ｃが回転不能に固定されているので、回転軸２２を回転させると、密閉部３５ｂと軸被覆部３５ａ及び外径部３５ｄがねじれるように回転するが、回転軸２２の回転範囲において、シール部品３５がねじれても気密性が低下することはなく、２枚のガラス板１０，１０間の空間部１２の気密性は維持される。
【００４２】
このように、ガラス板２間の空間部１２に操作連動体３０を設け、操作連動体３０には、空間部１２と連通し回転軸２２を挿通する軸挿通部３２と、外気側と連通する領域とを有する収納部３１を形成し、収納部３１内に回転軸２２を引き込み、空間部１２の外側に引き出される外部連結部３４から回転軸２２を構成する連動回転部３３を取り出し、操作機構４０と連動させることによって、操作機構４０を、操作連動体３０を介して空間部１２内のブラインド４側に物理的に連係させることができ、ブラインド４の開閉に磁石を不要とすることができる。
【００４３】
また、シール部品３５が回転軸２２を外気側に取り出す部分を密閉しているので、２枚のガラス板１０，１０間の空間部１２における密閉性を確保することができ、ブラインド４の開閉に磁石を用いない構成において、ブラインド内蔵複層ガラス１における断熱性及び結露防止の機能を損ねないようにすることができる。
【００４４】
ガラス体２における気密性を向上させるために、ガラス体２の外周面には、封止部１１の外側にさらにシール材３８が塗布される。図７には、操作連動体３０付近のガラス体２の斜視図を示している。この図に示すように、操作連動体３０のうち、外部連結部３４が２枚のガラス板１０，１０間の領域から外方に突出する露出部となっている。その上端部には、ガラス板１０の上辺の外周面と直交する方向を向いた受け面部３７が、下端部には、ガラス板１０の縦辺の外周面と直交する方向を向いた受け面部３７が、それぞれ形成されている。
【００４５】
図７において破線で示すように、シール材３８は、操作連動体３０の受け面部３７を端部として、操作連動体３０の外面と略連続状となるように塗布される。これにより、シール材３８の塗布を容易にすると共に、操作連動体３０の部分を含むガラス体２の全周に渡って、気密性を高くすることができる。
【００４６】
以上、本発明の実施形態について説明したが、本発明の適用は本実施形態には限られず、その技術的思想の範囲内において様々に適用されうるものである。
【符号の説明】
【００４７】
１    ブラインド内蔵型複層ガラス
２    ガラス体
３    操作体
４    ブラインド
５    框体
１０    ガラス板
１１    封止部
１２    空間部
２０    スラット
２１    ラダーコード
２２    回転軸
２３    回転部品
２４    ボトムレール
３０    操作連動体
３１    収納部
３２    軸挿通部
３２ａ  空間部側開口部
３２ｂ  外気側開口部
３３    連動回転部
３４    外部連結部
３５    シール部品
３５ａ  軸被覆部
３５ｂ  密閉部
３５ｃ  取付部
３５ｄ  外径部
３６    露出部
３７    受け面部
３８    シール材
３９    密閉壁部
４０    操作機構
５０    上框
５１    下框
５２    縦框
５３    ガラス押さえ部品
【図１】
0006028260.tif 000002
【図２】
0006028260.tif 000003
【図３】
0006028260.tif 000004
【図４】
0006028260.tif 000005
【図５】
0006028260.tif 000006
【図６】
0006028260.tif 000007
【図７】
0006028260.tif 000008